(57)【要約】【課題】遊技球が自重により流下する遊技領域と、少なくとも１つのトリガー手段と、遊技球の流下方向に影響を与える可動支持片を備えた遊技機において、該可動支持片が動くことによって発生する利益を、遊技者が享受し損ねる可能性が低く興趣を持って遊技することが出来る遊技機を提供する。【解決手段】    発射された遊技球が遊技盤１００に沿って流下する遊技領域１と、遊技球が進入することによってその後の遊技状況に影響を与えるトリガー手段を少なくとも１つ備えた遊技機において、常に遊技領域１内の前記トリガー手段の上流に配置された対向支持片２０および２１の少なくとも一方が可動支持片によって構成され、該可動支持片が動くことにより、対向する前記対向支持片２０および２１の対向形態を変化させることによって、通過する遊技球の流下方向に影響を与えるように構成されている遊技機。【選択図】図１
2010179058.tif 000002
【特許請求の範囲】
【請求項１】
発射された遊技球が遊技盤に沿って流下する遊技領域と、遊技球が進入することによってその後の遊技状況に影響を与えるトリガー手段を少なくとも１つ備えた遊技機において、
常に遊技領域内の前記トリガー手段の上流に配置された対向支持片の少なくとも一方が可動支持片によって構成され、該可動支持片が動くことにより、対向する前記対向支持片の対向形態を変化させることによって、通過する遊技球の流下方向に影響を与えるように構成されている
ことを特徴とする遊技機。
【請求項２】
発射された遊技球が遊技盤に沿って流下する遊技領域と、遊技球が進入することによってその後の遊技状況に影響を与えるトリガー手段を少なくとも１つ備えた遊技機において、
常に遊技領域内の前記トリガー手段の上流に配置された対向支持片の両方が可動支持片によって構成され、該可動支持片が動くことにより、対向する前記対向支持片の対向形態を変化させることによって、通過する遊技球の流下方向に影響を与えるように構成されている
ことを特徴とする遊技機。
【請求項３】
請求項１または請求項２において、
前記対向する対向支持片の対向間隔を変化させる対向間隔変化機構を備えた
ことを特徴とする遊技機。
【請求項４】
請求項１ないし請求項３のいずれかにおいて、
前記対向する対向支持片の対向形態が平行である状態を保って揺動動作させる平行揺動機構を備えた
ことを特徴とする遊技機。
【請求項５】
請求項１ないし請求項３のいずれかにおいて、
前記対向する対向支持片が一端を支点として他端が接近する方向と離間する方向に揺動動作させる揺動機構を備えた
ことを特徴とする遊技機。
【請求項６】
請求項４または請求項５において、
前記対向して揺動動作する対向支持片が、該対向支持片の一方端を支点として揺動動作する
ことを特徴とする遊技機。
【請求項７】
請求項４または請求項５において、
前記対向して揺動動作する対向支持片が、該対向支持片の中間部を支点として揺動動作する
ことを特徴とする遊技機。
【請求項８】
請求項３において、
前記対向間隔が変化して対向する対向支持片を遊技盤に対して進退させる進退機構を備えた
ことを特徴とする遊技機。
【請求項９】
請求項４ないし請求項７のいずれかにおいて、
前記揺動動作して対向する対向支持片を遊技盤に対して進退させる進退機構を備えた
ことを特徴とする遊技機。
【請求項１０】
請求項８または請求項９において、
前記対向支持片の進退方向の高さが部分的に異なる
ことを特徴とする遊技機。
【請求項１１】
請求項８ないし請求項１０のいずれかにおいて、
遊技盤に対して進退する対向支持片の進退量が異なる
ことを特徴とする遊技機。
【発明の詳細な説明】
【技術分野】
【０００１】
本発明は、遊技球が自重により遊技盤に沿って流下する遊技領域と、遊技球が進入することによってその後の遊技状況に影響を与えるトリガー手段を少なくとも１つ備えた遊技機に関するものである。
【背景技術】
【０００２】
特許文献１に記載の第１の従来のパチンコ遊技機は、図２１に示されるように被入賞体への遊技球の入賞確率を高める一対の開閉弁５８が、被入賞体５７の収納空間ＳＳに上下動可能に収納されるとともに上下方向に出没可能であり、突出時には上端部Ｔが左右に拡開して略ヘ字形を呈するものであった。
【０００３】
特許文献２に記載の第２の従来のパチンコ遊技機は、図２２に示されるように始動入賞口装置への遊技球の入賞率を調整する左右一対の湾曲案内片５６が配設されたベース板Ｂを駆動源であるモータＭの駆動に基づき遊技盤の表裏方向に進退動させるものであった。
【０００４】
特許文献３に記載の第３の従来のパチンコ遊技機は、図２３に示されるように通常遊技状態において、作動条件が成立した場合、遊技球の流下路中に誘導片５５を特定入賞口たる始動口に近い側に突出させて、多くの遊技球を特定入賞口たる始動口の方向に誘導するものであった。
【特許文献１】特開２００６−３４７０４号公報
【特許文献２】特開２０００−２２３４７４号公報
【特許文献３】特開平７−８６１０号公報
【発明の開示】
【発明が解決しようとする課題】
【０００５】
しかしながら、第１の従来のパチンコ遊技機は、視認困難である収納状態の開閉弁５８が上方へ突出することにより遊技球の被入賞体５７への入賞確率を高めるものであるため、該開閉弁５８が上方へ突出した状態においては遊技者への利益を遊技者が享受可能であるが、該開閉弁５８が収納された状態においては遊技者への利益を遊技者が享受し得ないとともに、収納状態の該開閉弁５８が完全に上方へ突出するまでのタイムラグの間において、遊技者への利益を遊技者が享受し損ねる場合が有るという問題があった。
【０００６】
また、第２の従来のパチンコ遊技機は、視認困難である後方への収納状態の湾曲案内片５６が配設されたベース板Ｂが前方へ突出することにより遊技球の始動入賞口装置への入賞確率を高めるものであるため、該湾曲案内片５６が前方へ突出した状態においては遊技者への利益を遊技者が享受可能であるが、該湾曲案内片５６が収納された状態においては遊技者への利益を遊技者が享受し得ないとともに、該湾曲案内片５６が配設されたベース板Ｂが完全に前方へ突出するまでのタイムラグの間において、遊技者への利益を遊技者が享受し損ねる場合が有るという問題があった。
【０００７】
また、第３の従来のパチンコ遊技機は、視認困難である通常遊技状態の予め設定された作動条件の非成立時における収納状態の誘導片５５が該予め設定された作動条件の成立時には遊技球の流下路中の特定入賞口たる始動口に近い側に突出することにより遊技球の特定入賞口たる始動口への入賞確率を高めるものであるため、該誘導片５５が特定入賞口たる始動口に近い側へ突出した状態においては遊技者への利益を遊技者が享受可能であるが、該誘導片５５が収納された状態においては遊技者への利益を遊技者が享受し得ないとともに、該誘導片５５が完全に特定入賞口たる始動口に近い側へ突出するまでのタイムラグの間において、遊技者への利益を遊技者が享受し損ねる場合が発生するという問題があった。
【０００８】
そこで本発明者らは、発射された遊技球が遊技盤に沿って流下する遊技領域と、遊技球が進入することによってその後の遊技状況に影響を与えるトリガー手段を少なくとも１つ備えた遊技機において、常に遊技領域内の前記トリガー手段の上流に配置された対向支持片の少なくとも一方が可動支持片によって構成され、該可動支持片が動くことにより、対向する前記対向支持片の対向形態を変化させることによって、通過する遊技球の流下方向に影響を与えるという本発明の技術的思想に着眼して、さらに研究開発を重ねた結果、前記対向支持片が常に遊技領域内に存在するので、遊技球に影響を与えて遊技者に利益を与える事を可能にするとともに、前記対向支持片の変化した対向形態に基づいて遊技球の流下方向が変化することにより、興趣を持って遊技することが出来るとともに、発生する利益を遊技者が享受し損ねる可能性が低いようにするという目的を達成する本発明に到達した。
【課題を解決するための手段】
【０００９】
本発明（請求項１に記載の第１発明）の遊技機は、
発射された遊技球が遊技盤に沿って流下する遊技領域と、遊技球が進入することによってその後の遊技状況に影響を与えるトリガー手段を少なくとも１つ備えた遊技機において、
常に遊技領域内の前記トリガー手段の上流に配置された対向支持片の少なくとも一方が可動支持片によって構成され、該可動支持片が動くことにより、対向する前記対向支持片の対向形態を変化させることによって、通過する遊技球の流下方向に影響を与えるように構成されている
ものである。
【００１０】
本発明（請求項２に記載の第２発明）の遊技機は、
発射された遊技球が遊技盤に沿って流下する遊技領域と、遊技球が進入することによってその後の遊技状況に影響を与えるトリガー手段を少なくとも１つ備えた遊技機において、
常に遊技領域内の前記トリガー手段の上流に配置された対向支持片の両方が可動支持片によって構成され、該可動支持片が動くことにより、対向する前記対向支持片の対向形態を変化させることによって、通過する遊技球の流下方向に影響を与えるように構成されている
ものである。
【００１１】
本発明（請求項３に記載の第３発明）の遊技機は、
前記第１発明または第２発明において、
前記対向する対向支持片の対向間隔を変化させる対向間隔変化機構を備えた
ものである。
【００１２】
本発明（請求項４に記載の第４発明）の遊技機は、
前記第１発明ないし第３発明のいずれかにおいて、
前記対向する対向支持片の対向形態が平行である状態を保って揺動動作させる平行揺動機構を備えた
ものである。
【００１３】
本発明（請求項５に記載の第５発明）の遊技機は、
前記第１発明ないし第３発明のいずれかにおいて、
前記対向する対向支持片が一端を支点として他端が接近する方向と離間する方向に揺動動作させる揺動機構を備えた
ことを特徴とする遊技機。
【００１４】
本発明（請求項６に記載の第６発明）の遊技機は、
前記第４発明または第５発明において、
前記対向して揺動動作する対向支持片が、該対向支持片の一方端を支点として揺動動作する
ものである。
【００１５】
本発明（請求項７に記載の第７発明）の遊技機は、
前記第４発明または第５発明において、
前記対向して揺動動作する対向支持片が、該対向支持片の中間部を支点として揺動動作する
ものである。
【００１６】
本発明（請求項８に記載の第８発明）の遊技機は、
前記第３発明において、
前記対向間隔が変化して対向する対向支持片を遊技盤に対して進退させる進退機構を備えた
ものである。
【００１７】
本発明（請求項９に記載の第９発明）の遊技機は、
前記第４発明ないし第７発明のいずれかにおいて、
前記揺動動作して対向する対向支持片を遊技盤に対して進退させる進退機構を備えた
ものである。
【００１８】
本発明（請求項１０に記載の第１０発明）の遊技機は、
前記第８発明または第９発明において、
前記対向支持片の進退方向の高さが部分的に異なる
ものである。
【００１９】
本発明（請求項１１に記載の第１１発明）の遊技機は、
前記第８発明ないし第１０発明のいずれかにおいて、
遊技盤に対して進退する対向支持片の進退量が異なる
ものである。
【発明の効果】
【００２０】
本発明（請求項１に記載の第１発明）の遊技機は、発射された遊技球が遊技盤に沿って流下する遊技領域と、遊技球が進入することによってその後の遊技状況に影響を与えるトリガー手段を少なくとも１つ備えた遊技機において、前記対向支持片が常に遊技領域内に存在するので、遊技球に影響を与えて遊技者に利益を与える事を可能にするとともに、常に遊技領域内の前記トリガー手段の上流に配置された対向支持片の少なくとも一方が動くことにより、対向する前記対向支持片の対向形態を変化させたので、変化した前記対向支持片の対向形態に基づいて遊技球の流下方向が変化することにより、興趣を持って遊技することが出来るとともに、発生する利益を遊技者が享受し損ねる可能性が低いという効果を奏する。
【００２１】
本発明（請求項２に記載の第２発明）の遊技機は、発射された遊技球が遊技盤に沿って流下する遊技領域と、遊技球が進入することによってその後の遊技状況に影響を与えるトリガー手段を少なくとも１つ備えた遊技機において、前記対向支持片が常に遊技領域内に存在するので、遊技球に影響を与えて遊技者に利益を与える事を可能にするとともに、常に遊技領域内の前記トリガー手段の上流に配置された対向支持片の両方が動くことにより、対向する前記対向支持片の対向形態を複雑に変化させたので、複雑に変化した前記対向支持片の対向形態に基づいて遊技球の流下方向が多種多様に変化することにより、興趣を持って遊技することが出来るとともに、発生する利益を遊技者が享受し損ねる可能性が低いという効果を奏する。
【００２２】
本発明（請求項３に記載の第３発明）の遊技機は、前記第１発明または第２発明において、前記対向間隔変化機構によって対向する前記対向支持片の対向間隔を変化させたので、対向間隔が変化した前記対向支持片の対向形態に基づいて遊技球の流下方向が変化することにより、前記対向支持片が拡がった状態および縮まった状態の広い範囲に亘り落下する遊技球の流下方向を変化することによって、前記対向支持片による遊技球の誘導によって発生する利益を遊技者が享受する機会が増えて期待感を維持して遊技をすることが出来るという効果を奏する。
【００２３】
本発明（請求項４に記載の第４発明）の遊技機は、前記第１発明ないし第３発明のいずれかにおいて、前記平行揺動機構によって対向する前記対向支持片の対向形態が平行である状態を保って揺動動作させるので、揺動角度が変化した前記対向支持片の対向形態に基づいて遊技球の流下方向が変化するとともに、前記対向支持片の間へ進入した遊技球を確実に遊技者にとって有利な方向へ案内することが出来るという効果を奏する。
【００２４】
本発明（請求項５に記載の第５発明）の遊技機は、前記第１発明ないし第３発明のいずれかにおいて、前記揺動機構によって対向する前記対向支持片が一端を中心にして他端が接近する方向と離間する方向に揺動動作させるので、揺動状態が変化した前記対向支持片の対向形態に基づいて遊技球の流下方向が変化することにより、遊技者は前記対向支持片が離間して前記遊技領域を落下する遊技球を広い範囲に亘り遊技者にとって有利となる方向へ変化させるという期待感を持って遊技することが出来るという効果を奏する。
【００２５】
本発明（請求項６に記載の第６発明）の遊技機は、前記第４発明または第５発明において、対向して揺動動作する前記対向支持片が一方端を支点として揺動動作するので、該対向支持片の全体に亘り遊技球の流下方向を変化させることが出来るという効果を奏する。
【００２６】
本発明（請求項７に記載の第７発明）の遊技機は、前記第４発明または第５発明において、対向して揺動動作する前記対向支持片が中間部を支点として揺動動作するので、該対向支持片の揺動角度に基づいて遊技球の流下方向を多種多様に変化させることが出来るという効果を奏する。
【００２７】
本発明（請求項８に記載の第８発明）の遊技機は、前記第３発明において、前記進退機構が対向間隔が変化して対向する前記対向支持片を遊技盤に対して進退させるので、突出状態および対向間隔が変化した前記対向支持片の対向形態に基づいて遊技球の流下方向が変化することにより、興趣を持って遊技することが出来るとともに、発生する利益を遊技者が享受し損ねる可能性が低いという効果を奏する。
【００２８】
本発明（請求項９に記載の第９発明）の遊技機は、前記第４発明ないし第７発明のいずれかにおいて、前記進退機構が揺動動作して対向する前記対向支持片を遊技盤に対して進退させるので、突出状態および揺動状態が変化した前記対向支持片の対向形態に基づいて遊技球の流下方向が変化することにより、興趣を持って遊技することが出来るとともに、発生する利益を遊技者が享受し損ねる可能性が低いという効果を奏する。
【００２９】
本発明（請求項１０に記載の第１０発明）の遊技機は、前記第８発明または第９発明において、前記進退機構によって遊技盤に対して進退する前記対向支持片の進退方向の高さが部分的に異なるので、前記対向支持片の突出状態に応じて前記遊技盤に対して突出する部分が変化して、変化した前記対向支持片の対向形態に基づいて遊技球の流下方向が変化することにより、遊技者の興趣を前記遊技盤に対して前後方向の対向支持片の動作に惹きつけて三次元的な視覚効果を奏する。
【００３０】
本発明（請求項１１に記載の第１１発明）の遊技機は、前記第８発明ないし第１０発明のいずれかにおいて、前記進退機構によって遊技盤に対して進退する前記対向支持片の進退量が異なるので、対向する前記対向支持片の前記遊技盤に対する突出部分が異なるため、非対称となった対向する前記対向支持片の対向形態が流下する遊技球の流下方向を一定方向に偏って変化させるため、一律とならないので遊技者が新鮮味のある遊技球の軌跡に対して興趣を持って遊技することが出来るという効果を奏する。
【発明を実施するための最良の形態】
【００３１】
以下本発明の最良の実施の形態につき実施例に基づき、図面を用いて説明する。
【実施例１】
【００３２】
本第１実施例のパチンコ遊技機は前記第１発明、および第６発明の実施例であり、図１に示されるように、遊技球が自重により遊技盤１００に沿って流下する遊技領域１と、遊技球が進入することによってその後の遊技状況に影響を与えるトリガー手段としてのゲートＧを備えたパチンコ遊技機において、常に遊技領域内の前記ゲートＧの上流に配置されて存在するもので、対向支持片の一方が可動支持片によって構成され、該可動支持片が動くことにより、対向する前記対向支持片の対向形態を変化させることによって、通過する遊技球の流下方向に影響を与えるように構成されているものである。
【００３３】
第１実施例のパチンコ遊技機は、遊技球を発射させるための操作ハンドル１０１と、発射された遊技球が自重により遊技盤１００に沿って流下する遊技領域１と、遊技球が入賞することにより大当り抽選および表示演出抽選等を行なう始動入賞口９と、前記始動入賞口９における検知出力によって特別図柄抽選を行ない該特別図柄抽選の抽選結果に基づいて作動する大入賞口７と、前記遊技領域１に配設された導入口Ｅへ遊技球が進入することにより該遊技球が到達するステージＳと、前記ステージＳの転動面の形状に基づいて遊技球が転動した後前記遊技領域１における始動口上流部２に遊技球を排出する出口部Ｌ、ＣおよびＲと、前記遊技領域１に配設され遊技球の通過を検知するトリガー手段としてのゲートＧと、前記ゲートＧにおける検知出力によって普通図柄抽選を行ない該普通図柄抽選の抽選結果に基づいて作動する電動チューリップ８を備えている。
【００３４】
本第１実施例のパチンコ遊技機は、前記ステージＳの左側の遊技領域１の前記ゲートＧおよび遊技球をステージＳ内に導入する前記導入口Ｅの上流部に常に存在する対向する対向支持片２０および２１が配設されている。一方の対向支持片２１は、前記ゲートＧおよび導入口Ｅとの間の上流側に配設され、一方端を支点として揺動動作するように構成されている。
【００３５】
結果として前記対向支持片２０および２１の対向形態が変化することにより、前記対向支持片２０および２１付近を通過する遊技球の流下方向に影響を与え、前記ゲートＧへの遊技球の通過確率および前記導入口Ｅへの遊技球の進入確率を変化させた点に特徴がある。
【００３６】
本第１実施例のパチンコ遊技機においては、遊技者が前記操作ハンドル１０１を操作することによって遊技球が発射され、該遊技球が前記遊技領域１に送り込まれることにより遊技が開始されるように構成されているものである。
【００３７】
前記電動チューリップ８は、前記遊技領域１の前記始動入賞口９の略下方に配設され、前記ゲートＧに遊技球が進入したことがゲート進入検知スイッチにおいて検知された際に普通図柄抽選を行ない該普通図柄抽選の抽選結果に当選した場合に、図２に示されるようにソレノイド８Ｓの駆動力に基づき一定時間開放されるものであり、本第１実施例のパチンコ遊技機では一例として確変遊技状態および時短遊技状態等においては１．２秒間開放される動作を４回繰り返すとともに、通常遊技状態および大当たり遊技状態等においては０．１５秒間開放される動作を１回行なうものである。
【００３８】
前記ステージＳは、左側の前記遊技領域１に配設された導入口Ｅと、遊技球が三次元的に転動するように起伏が形成された転動面と、前記導入口Ｅへ進入した遊技球を転動面に誘導する連絡路と、前記転動面において転動した遊技球を前記遊技領域１の始動入賞口９の略上方に排出する出口部Ｃと、前記転動面において転動した遊技球を前記遊技領域１の始動入賞口９から一定距離右側に離れた上方に排出する出口部Ｒと、前記転動面において転動した遊技球を前記遊技領域１の始動入賞口９から一定距離左側に離れた上方に排出する出口部Ｌによって構成される。
【００３９】
前記対向支持片２０および２１は、図３中左側の前記遊技領域１の前記ゲートＧおよび前記導入口Ｅの上流部に配設され、前記遊技盤１００に固定配設された硬質プラスチック製の対向支持片２０と、該対向支持片２０の略右側に対向するように配設され、ソレノイド２１Ｓの駆動力に基づき図３（ａ）に示される角度範囲αを一定の角速度で前記対向支持片２１の上端を支点として揺動動作する硬質プラスチック製の対向支持片２１によって構成される。
【００４０】
本第１実施例のパチンコ遊技機の制御システムは,図４のブロック図に示されるようにメイン制御基板８０に信号を出力するゲート進入検知スイッチと、前記始動入賞口９およびその他の入賞口への遊技球の入賞を検知して前記メイン制御基板８０に信号を出力する入賞検知スイッチと、メインＣＰＵ８１、メインＲＯＭ８２およびメインＲＡＭ８３を格納した前記メイン制御基板８０と、前記メイン制御基板８０からの信号を入力して前記ソレノイド８Ｓおよび２１Ｓおよび前記大入賞口７に対して作動指令を出力する役物動作制御基板８４と、前記メイン制御基板８０からの信号を入力して賞球払出指令を出力する払出制御基板８５によって構成される。
【００４１】
上記構成より成る、本第１実施例のパチンコ遊技機の作用について、前記対向支持片２０および２１の動作制御、前記対向支持片２０および２１付近を通過する遊技球の流下方向への影響を中心として説明する。
【００４２】
上述したように、前記遊技領域１の前記ゲートＧおよび前記導入口Ｅの上流部に配設された前記対向支持片２０および２１は、可動支持片としての図中右側の対向支持片２１が、上端を支点として図３（ａ）に示される角度範囲αを一定の角速度で揺動動作するものである。
【００４３】
前記対向支持片２０および２１は、図３（ａ）、（ｂ）に示されるように、前記ゲートＧに接近する角度範囲βを揺動動作している時には、可動する前記対向支持片２１付近を通過する遊技球の動きを前記ゲートＧへ進入しやすい左方の方向へと誘導するとともに、図３（ａ）、（ｃ）に示されるように、前記導入口Ｅに接近する角度範囲γを揺動動作している時には、可動する前記対向支持片２１付近を通過する遊技球の動きを前記導入口Ｅへ進入しやすい右方の方向へと誘導する。
【００４４】
上記構成および作用の本第１実施例のパチンコ遊技機の効果について説明する。
【００４５】
上記作用を奏する本第１実施例のパチンコ遊技機は、前記対向支持片２１が常に遊技領域１内に存在するので、遊技球に影響を与えて遊技者に利益を与える事を可能にするとともに、常に遊技領域１内の前記トリガー手段としての前記ゲートＧの上流に配置された対向支持片２１が揺動動作することにより、対向する前記対向支持片２０および２１の対向形態を変化させたので、変化した前記対向支持片２０および２１の対向形態に基づいて遊技球の流下方向が変化することにより、興趣を持って遊技することが出来るとともに、発生する利益を遊技者が享受し損ねる可能性が低いという効果を奏する。
【００４６】
本第１実施例のパチンコ遊技機は、対向して揺動動作する前記対向支持片２１が上端を支点として揺動動作するので、角度に応じて遊技球の反射角度が変化するため該対向支持片２１の全体に亘り遊技球の流下方向を変化させることが出来るという効果を奏する。
【００４７】
本第１実施例のパチンコ遊技機は、前記対向支持片２１が、図３（ａ）に示される角度範囲βを揺動動作している時には、前記ゲートＧへの遊技球の進入確率を高めるため、結果として前記電動チューリップ８の開放契機となる普通図柄抽選を数多く行ない、前記電動チューリップ８の開放頻度が高まるので、従来のパチンコ遊技機の確変遊技状態および時短遊技状態等において、遊技釘の影響等によってゲートへの遊技球の進入確率が低いため、結果として電動チューリップの開放頻度が下がり、確変遊技状態および時短遊技状態等であるのにもかかわらず遊技球が減少してしまい遊技者が興趣を逸してしまうという問題を解消することが出来るという効果を奏する。
【００４８】
また、本第１実施例のパチンコ遊技機は、前記対向支持片２１が、図３（ａ）に示される角度範囲γを揺動動作している時には、前記対向支持片２１の揺動動作によって前記導入口Ｅへの遊技球の進入確率を高めるため、前記ステージＳ内を通過した遊技球が結果として前記始動入賞口９への入賞確率が高まるので、始動入賞口９への遊技球の入賞の期待感を増大させることが出来るという効果を奏する。
【００４９】
さらに、本第１実施例のパチンコ遊技機は、可動の前記対向支持片２１の揺動角度範囲に応じて、異なったゲーム展開を実現するという効果を奏する。
【実施例２】
【００５０】
本第２実施例のパチンコ遊技機は、前記第１発明ないし第３発明の実施例であり、図１に示されるように、遊技球が自重により遊技盤に沿って流下する遊技領域１と、遊技球が進入することによってその後の遊技状況に影響を与えるトリガー手段としての始動入賞口９を備えたパチンコ遊技機において、常に遊技領域内の前記始動入賞口９の上流に配置された対向支持片２２０および２２１の両方が可動支持片によって構成され、対向間隔変化機構２０１の駆動力によって該可動支持片が動くことにより、対向する前記対向支持片２２０および２２１の対向間隔を変化させることによって、通過する遊技球の流下方向に影響を与えるように構成されているものである。
【００５１】
第２実施例のパチンコ遊技機は、遊技球を発射させるための操作ハンドル１０１と、発射された遊技球が自重により遊技盤１００に沿って流下する遊技領域１と、遊技球が入賞することにより大当り抽選および表示演出抽選等を行なうトリガー手段としての始動入賞口９と、前記始動入賞口９における検知出力によって特別図柄抽選を行ない該特別図柄抽選の抽選結果に基づいて作動する大入賞口７と、前記遊技領域１に配設された導入口Ｅへ遊技球が進入することにより該遊技球が到達するステージ２００Ｓと、前記ステージ２００Ｓの転動面の形状に基づいて遊技球が転動した後前記遊技領域１における始動口上流部２に遊技球を排出する出口部２００Ｌ、２００Ｃおよび２００Ｒと、前記遊技領域１に配設され遊技球の通過を検知するゲートＧと、前記ゲートＧにおける検知出力によって普通図柄抽選を行ない該普通図柄抽選の抽選結果に基づいて作動する電動チューリップ８を備えている。
【００５２】
本第２実施例のパチンコ遊技機は、前記ステージ２００Ｓの下側の遊技領域１の前記始動口上流部２に常に存在して逆ハの字状に対向する対向支持片２２０および２２１を配設して、前記対向間隔変化機構２０１の駆動力によって、該対向支持片２２０および２２１の対向間隔を変化するように構成されている。
【００５３】
結果として前記対向支持片２２０および２２１の対向間隔および対向形態が変化することにより、逆ハの字状に対向した前記対向支持片２２０および２２１付近を通過する遊技球の流下方向に影響を与え、前記始動入賞口９への遊技球の入賞確率を変化させた点に特徴があり、以下上述した第１実施例との相違点を中心に説明する。
【００５４】
前記ステージ２００Ｓは、図５に示されるように左側の前記遊技領域１に配設された導入口Ｅと、遊技球が三次元的に転動するように起伏が形成された転動面と、前記導入口Ｅへ進入した遊技球を転動面に誘導する連絡路と、前記転動面において転動した遊技球を前記遊技領域１の始動入賞口９の略上方に排出する出口部２００Ｃと、前記転動面において転動した遊技球を前記遊技領域１の始動入賞口９から比較的長い距離右方に離れた上方から排出する出口部２００Ｒと、前記転動面において転動した遊技球を前記遊技領域１の始動入賞口９から比較的長い距離左方に離れた上方から排出する出口部２００Ｌによって構成される。
【００５５】
前記対向支持片２２０は、図６（ａ）および図７に示されるように、ロッド部材２２２の先端に配設されて一体形成されており、前記遊技領域１に配設された前記始動入賞口９から一定距離左に離れた上方の前記始動口上流部２に水平方向に延在形成されたスリット２０２の範囲内を前記対向間隔変化機構２０１としてのソレノイド２２０Ｓの駆動力によって図中左右方向に一定速度で往復動作をする前記ロッド部材２２２と一体となって図中左右方向に往復動作するものであり、遊技球の自由落下方向に対して一定角度傾斜させた反発弾性を有するシリコンゴム製の遊技部材によって構成される。
【００５６】
前記対向支持片２２１は、図６（ｂ）および図７に示されるように、ロッド部材２２３の先端に配設されて一体形成されており、前記遊技領域１に配設された前記始動入賞口９から一定距離右に離れた上方の前記始動口上流部２に水平方向に延在形成されたスリット２０３の範囲内を前記対向間隔変化機構２０１としてのソレノイド２２１Ｓの駆動力によって図中左右方向に一定速度で往復動作をする前記ロッド部材２２３と一体となって図中左右方向に往復動作するものであり、遊技球の自由落下方向に対して一定角度傾斜させた反発弾性を有するシリコンゴム製の遊技部材によって構成される。
【００５７】
本第２実施例のパチンコ遊技機の制御システムは、上述した第１実施例のパチンコ遊技機の制御システムと比較して前記役物動作制御基板８４から前記ソレノイド２２０Ｓおよび２２１Ｓに対して作動指令を出力する点で異なるが、その他の構成については同様であるため説明を省略する。
【００５８】
上記構成より成る本第２実施例のパチンコ遊技機の作用について、前記対向支持片２２０および２２１の動作制御、前記対向支持片２２０および２２１付近を通過する遊技球の流下方向への影響を中心として説明する。
【００５９】
上述したように、図６に示されるように前記始動口上流部２に配設された前記対向支持片２２０および２２１は、前記スリット２０２および２０３の長手方向に沿って一定の速度で水平横方向に往復動作するものであり、前記始動入賞口９と前記対向支持片２２０の距離と、前記始動入賞口９と前記対向支持片２２１の距離が等しくなるように保たれた状態において、前記対向支持片２２０と前記対向支持片２２１との対向距離が拡がる動作と縮まる動作を繰り返すものである。
【００６０】
前記対向支持片２２０および２２１は、図６（ａ）破線表示に示されるように、前記始動入賞口９との距離が拡がった状態においては、前記出口部２００Ｌおよび２００Ｒより落下してくる遊技球と接触して該遊技球の流下方向を前記始動入賞口９の方向へと誘導するとともに、図６（ｂ）破線表示に示されるように、前記始動入賞口９との距離が縮まった状態においては、前記出口部２００Ｃより落下してくる遊技球のうち前記始動入賞口９の方向から逸れた遊技球と接触して該遊技球の流下方向を前記始動入賞口９の方向へと誘導する。
【００６１】
ここで、前記対向支持片２２０および２２１は、反発弾性を有するシリコンゴム製の遊技部材によって構成されているため、前記対向支持片２２０および２２１に接触した遊技球は、図６（ａ）破線表示に示されるように、該遊技球の衝突位置および速度に応じて多種多様な軌跡を描いて前記始動入賞口９またはその他の方向へと誘導される。
【００６２】
以下、上記構成および作用の本第２実施例のパチンコ遊技機の効果について説明する。
【００６３】
上記作用を奏する本第２実施例のパチンコ遊技機は、前記対向支持片２２０および２２１が常に遊技領域１内に存在するので、遊技球に影響を与えて遊技者に利益を与える事を可能にするとともに、常に遊技領域１内の前記トリガー手段としての前記始動入賞口９の上流に配置された対向支持片２２０および２２１の両方が動くことにより、対向する前記対向支持片２２０および２２１の対向形態を大きく変化させたので、変化した前記対向支持片２２０および２２１の対向形態に基づいて遊技球の流下方向が大きく変化することにより、興趣を持って遊技することが出来るとともに、発生する利益を遊技者が享受し損ねる可能性が低いという効果を奏する。
【００６４】
本第２実施例のパチンコ遊技機は、前記対向間隔変化機構２０１によって対向する前記対向支持片２２０および２２１の対向間隔を変化させたので、対向間隔が拡がった前記対向支持片２２０および２２１によって、前記始動入賞口９への入賞確率の低い前記出口部２００Ｌおよび２００Ｒから落下する遊技球の流下方向を変化することにより、遊技者に前記始動入賞口９への入賞の期待が持続した遊技を提供出来るという効果を奏する。
【００６５】
本第２実施例のパチンコ遊技機は、前記対向支持片２２０および２２１が、反発弾性を有するシリコンゴム製の遊技部材によって構成されているため、前記対向支持片２２０および２２１に接触する遊技球の衝突位置および速度に応じて多種多様な軌跡を描くため、遊技球の軌跡に基づく視覚効果に優れた飽きの来ないパチンコ遊技機を提供出来るという効果を奏する。
【実施例３】
【００６６】
本第３実施例のパチンコ遊技機は前記第１発明、第２発明、第４発明および第７発明の実施例であり、図１に示されるように、遊技球が自重により遊技盤に沿って流下する遊技領域１と、遊技球が進入することによってその後の遊技状況に影響を与えるトリガー手段としての始動入賞口９を備えたパチンコ遊技機において、常に遊技領域内の前記始動入賞口９の上流に配置された対向支持片３２０および３２１の両方が可動支持片によって構成され、平行揺動機構３０１の駆動力によって該可動支持片が動くことにより、対向する前記対向支持片３２０および３２１の配設角度を変化させることによって、通過する遊技球の流下方向に影響を与えるように構成されているものである。
【００６７】
第３実施例のパチンコ遊技機は、遊技球を発射させるための操作ハンドル１０１と、発射された遊技球が自重により遊技盤１００に沿って流下する遊技領域１と、遊技球が入賞することにより大当り抽選および表示演出抽選等を行なうトリガー手段としての始動入賞口９と、前記始動入賞口９における検知出力によって特別図柄抽選を行ない該特別図柄抽選の抽選結果に基づいて作動する大入賞口７と、前記遊技領域１に配設された導入口Ｅへ遊技球が進入することにより該遊技球が到達するステージ３００Ｓと、前記ステージ３００Ｓの転動面の形状に基づいて遊技球が転動した後前記遊技領域１における始動口上流部２に遊技球を排出する出口部３００Ｌ、３００Ｃおよび３００Ｒと、前記遊技領域１に配設され遊技球の通過を検知するゲートＧと、前記ゲートＧにおける検知出力によって普通図柄抽選を行ない該普通図柄抽選の抽選結果に基づいて作動する電動チューリップ８を備えている。
【００６８】
本第３実施例のパチンコ遊技機は、前記ステージ３００Ｓの下側の遊技領域１の前記始動口上流部２に常に存在する対向する対向支持片３２０および３２１を配設して、前記平行揺動機構３０１の駆動力によって、該対対向支持片３２０および３２１が平行状態を保って揺動動作することにより、配設角度を変化させるように構成されている。
【００６９】
結果として前記対向支持片３２０および３２１の配設角度が変化することにより、前記対向支持片３２０および３２１付近を通過する遊技球の流下方向に影響を与え、前記始動入賞口９への遊技球の入賞確率を変化させた点に特徴があり、以下上述した第１実施例および第２実施例との相違点を中心に説明する。
【００７０】
前記ステージ３００Ｓは、図８に示されるように左側の前記遊技領域１に配設された導入口Ｅと、遊技球が三次元的に転動するように起伏が形成された転動面と、前記導入口Ｅへ進入した遊技球を転動面に誘導する連絡路と、前記転動面において転動した遊技球を前記遊技領域１の始動入賞口９の略上方に排出する出口部３００Ｃと、前記転動面において転動した遊技球を前記遊技領域１の始動入賞口９から比較的短い距離右方に離れた上方から排出する出口部３００Ｒと、前記転動面において転動した遊技球を前記遊技領域１の始動入賞口９から比較的短い距離左方に離れた上方から排出する出口部３００Ｌによって構成される。
【００７１】
前記対向支持片３２０および３２１は、図９に示されるように、前記対向支持片３２０および３２１の略中間点において、ソレノイド３２０Ｓおよび３２１Ｓによる図中上下方向の往復動作に基づいてクランク機構を介して図中回転方向に回転動作する軸部材３０２および３０３と一体形成された硬質プラスチック製の遊技部材を近接対向させて配設され、図１０に示されるように、前記遊技領域１に配設された前記始動入賞口９の略上方の前記始動口上流部２に対を成して配設される。
【００７２】
本第３実施例のパチンコ遊技機の制御システムは、上述した第１実施例および第２実施例のパチンコ遊技機の制御システムと比較して前記役物動作制御基板８４から前記ソレノイド３２０Ｓおよび３２１Ｓに対して作動指令を出力する点で異なるが、その他の構成については同様であるため説明を省略する。
【００７３】
上記構成より成る本第３実施例のパチンコ遊技機の作用について前記対向支持片３２０および３２１の動作制御、前記対向支持片３２０および３２１付近を通過する遊技球の流下方向への影響を中心として説明する。
【００７４】
上述したように、前記始動口上流部２に配設された前記対向支持片３２０および３２１は、図９に示されるように、前記ソレノイド３２０Ｓおよび３２１Ｓが通電状態と未通電状態とを繰り返すことにより、回転動作をする前記軸部材３０２および３０３と一体となって、前記対向支持片３２０および３２１の略中間点の前記軸部材３０２および３０３との固着点を支点として揺動動作するものである。
【００７５】
なお、本第３実施例のパチンコ遊技機においては、前記ソレノイド３２０Ｓおよび３２１Ｓは１秒毎に通電状態と未通電状態とが切り換えられるように構成されており、図９（ａ）に示される未通電状態から通電状態に移行すると、０．５秒間において図９（ｂ）に示される通電状態におけるソレノイドの停止位置まで移動して、その後０．５秒間は静止状態を維持するとともに、図９（ｂ）に示される通電状態から未通電状態に移行すると、０．５秒間において図９（ａ）に示される未通電状態におけるソレノイドの停止位置まで移動して、その後０．５秒間は静止状態を維持するものである。
【００７６】
すなわち、前記対向支持片３２０および３２１の対向形態は、上述したソレノイド３２０Ｓおよび３２１Ｓの動作に基づいて、図１０（ａ）に示される状態を０．５秒間維持した後、前記対向支持片３２０および３２１の両方が図中反時計方向に０．５秒間揺動動作して図１０（ｂ）に示される状態となり、１０（ｂ）に示される状態を０．５秒間維持した後、前記対向支持片３２０および３２１の両方が図中時計方向に０．５秒間揺動動作して図１０（ａ）に示される状態となるものであるとともに上記した動作を繰り返すものである。
【００７７】
前記対向支持片３２０および３２１は、図１０（ａ）に示されるように、前記対向支持片３２０および３２１が図中時計方向に揺動した後の状態においては、図中点線表示によって示されるように、前記出口部３００Ｒより落下してくる遊技球の流下方向を前記対向支持片３２０および３２１によって前記始動入賞口９の略左上に配設された遊技釘の方向へと誘導するとともに、結果として該遊技球を前記始動入賞口９へと誘導するとともに、前記出口部３００Ｌおよび３００Ｃより落下してくる遊技球の流下方向を前記対向支持片３２０によって前記始動入賞口９への入賞が困難となる方向へと誘導する。
【００７８】
また、前記対向支持片３２０および３２１は、図１０（ｂ）に示されるように、前記対向支持片３２０および３２１が図中反時計方向に揺動した後の状態においては、図中点線表示によって示されるように、前記出口部３００Ｌより落下してくる遊技球の流下方向を前記対向支持片３２０および３２１によって前記始動入賞口９の略右上に配設された遊技釘の方向へと誘導するとともに、結果として該遊技球を前記始動入賞口９へと誘導するとともに、前記出口部３００Ｃおよび３００Ｒより落下してくる遊技球の流下方向を前記対向支持片３２１によって前記始動入賞口９への入賞が困難となる方向へと誘導する。
【００７９】
さらに、前記対向支持片３２０および３２１は、図１０（ｃ）に示されるように、前記対向支持片３２０および３２１が揺動動作している途中の状態においては、図中点線表示によって示されるように、前記出口部３００Ｃより落下してくる遊技球の流下方向を前記対向支持片３２０および３２１によって前記始動入賞口９の方向へと誘導するとともに、前記出口部３００Ｌおよび３００Ｒより落下してくる遊技球に対しては、衝突しないかぎり基本的には該遊技球の流下方向を変化させないのである。
【００８０】
以下、上記構成および作用の本第３実施例のパチンコ遊技機の効果について説明する。
【００８１】
上記作用を奏する本第３実施例のパチンコ遊技機は、前記対向支持片３２０および３２１が常に遊技領域１内に存在するので、遊技球に影響を与えて遊技者に利益を与える事を可能にするとともに、常に遊技領域１内の前記トリガー手段としての前記始動入賞口９の上流に配置された対向支持片３２０および３２１の両方が動くことにより、対向する前記対向支持片３２０および３２１の対向形態を変化させたので、変化した前記対向支持片３２０および３２１の対向形態に基づいて遊技球の流下方向が変化することにより、興趣を持って遊技することが出来るとともに、発生する利益を遊技者が享受し損ねる可能性が低いという効果を奏する。
【００８２】
本第３実施例のパチンコ遊技機は、前記平行揺動機構３０１によって対向する前記対向支持片３２０および３２１の対向形態が平行である状態を保って揺動動作させるので、揺動角度が変化した前記対向支持片３２０および３２１の対向形態に基づいて前記出口部３００Ｌ、３００Ｃおよび３００Ｒから落下する遊技球の流下方向を変化させるとともに、対向した前記対向支持片３２０および３２１の間へ進入した遊技球を前記始動入賞口９へ入賞しやすい位置に誘導するため、遊技者が前記対向支持片３２０および３２１の対向形態に基づく遊技球の流下方向の変化に期待感を持って遊技することが出来るという効果を奏する。
【００８３】
本第３実施例のパチンコ遊技機は、対向して揺動動作する前記対向支持片３２０および３２１が中間部を支点として揺動動作するので、該対向支持片３２０および３２１の揺動角度に基づいて遊技球の流下方向を多種多様に変化させることが出来るという効果を奏する。
【実施例４】
【００８４】
本第４実施例のパチンコ遊技機は前記第１発明、第２発明、第５発明および第６発明の実施例であり、図１に示されるように、遊技球が自重により遊技盤に沿って流下する遊技領域１と、遊技球が進入することによってその後の遊技状況に影響を与えるトリガー手段としての始動入賞口９を備えたパチンコ遊技機において、常に遊技領域内の前記始動入賞口９の上流に配置された対向支持片４２０および４２１の両方が可動支持片によって構成され、揺動機構４０１の駆動力によって該可動支持片が動くことにより、対向する前記対向支持片４２０および４２１の対向形態を変化させることによって、通過する遊技球の流下方向および流下状態に影響を与えるように構成されているものである。
【００８５】
第４実施例のパチンコ遊技機は、遊技球を発射させるための操作ハンドル１０１と、発射された遊技球が自重により遊技盤１００に沿って流下する遊技領域１と、遊技球が入賞することにより大当り抽選および表示演出抽選等を行なうトリガー手段としての始動入賞口９と、前記始動入賞口９における検知出力によって特別図柄抽選を行ない該特別図柄抽選の抽選結果に基づいて作動する大入賞口７と、前記遊技領域１に配設された導入口Ｅへ遊技球が進入することにより該遊技球が到達するステージ３００Ｓと、前記ステージ３００Ｓの転動面の形状に基づいて遊技球が転動した後前記遊技領域１における始動口上流部２に遊技球を排出する出口部３００Ｌ、３００Ｃおよび３００Ｒと、前記遊技領域１に配設され遊技球の通過を検知するゲートＧと、前記ゲートＧにおける検知出力によって普通図柄抽選を行ない該普通図柄抽選の抽選結果に基づいて作動する電動チューリップ８を備えている。
【００８６】
本第４実施例のパチンコ遊技機は、前記ステージ３００Ｓの下側の遊技領域１の前記始動口上流部２に常に存在する対向する対向支持片４２０および４２１を配設して、前記揺動機構４０１の駆動力によって、該対向支持片４２０および４２１が一端である下端を支点として他端が接近する方向と離間する方向に揺動動作するように構成されている。  
【００８７】
結果として前記対向支持片４２０および４２１の対向形態が変化することにより、前記対向支持片４２０および４２１付近を通過する遊技球の流下方向に影響を与え、前記始動入賞口９への遊技球の入賞確率を変化させた点に特徴があり、以下上述した第１実施例ないし第３実施例との相違点を中心に説明する。
【００８８】
前記ステージ３００Ｓは、上述した第３実施例と同様の構成のため同符号を付し説明を省略する。
【００８９】
前記対向支持片４２０は、図１１に示されるように、前記対向支持片４２０の下端において、ソレノイド４２０Ｓによる図中上下方向の往復動作に基づいてクランク機構を介して図中回転方向に回転動作する軸部材４０２と一体形成された硬質プラスチック製の遊技部材によって構成され、図１２に示されるように、前記遊技領域１に配設された前記始動入賞口９の略上方の前記始動口上流部２に前記対向支持片４２１と対を成して配設される。
【００９０】
前記対向支持片４２１は、図１１に示されるように、前記対向支持片４２１の下端において、ソレノイド４２１Ｓによる図中上下方向の往復動作に基づいてクランク機構を介して図中回転方向に回転動作する軸部材４０３と一体形成された硬質プラスチック製の遊技部材によって構成され、図１２に示されるように、前記遊技領域１に配設された前記始動入賞口９の略上方の前記始動口上流部２に前記対向支持片４２０と対を成して配設される。
【００９１】
本第４実施例のパチンコ遊技機の制御システムは、上述した第１実施例ないし第３実施例のパチンコ遊技機の制御システムと比較して前記役物動作制御基板８４から前記ソレノイド４２０Ｓおよび４２１Ｓに対して作動指令を出力する点で異なるが、その他の構成については同様であるため説明を省略する。
【００９２】
上記構成より成る本第４実施例のパチンコ遊技機の作用について前記対向支持片４２０および４２１の動作制御、前記対向支持片４２０および４２１付近を通過する遊技球の流下方向への影響を中心として説明する。
【００９３】
上述したように、前記始動口上流部２に配設された前記対向支持片４２０および４２１は、図１１に示されるように、前記ソレノイド４２０Ｓおよび４２１Ｓが通電状態と未通電状態とを繰り返すことにより、回転動作をする前記軸部材４０２および４０３と一体となって、前記対向支持片４２０および４２１の下端の前記軸部材４０２および４０３との固着点を支点として揺動動作するものである。
【００９４】
なお、本第４実施例のパチンコ遊技機においては、前記ソレノイド４２０Ｓおよび４２１Ｓは０．５秒毎に通電状態と未通電状態とが切り換えられるように構成されており、図１１（ａ）に示される未通電状態から通電状態に移行すると、０．５秒間かけて図１１（ｂ）に示される位置まで移動するとともに、図１１（ｂ）に示される通電状態から未通電状態に移行すると、０．５秒間かけて図１１（ａ）に示される位置まで移動するものである。
【００９５】
すなわち、前記対向支持片４２０および４２１の対向形態は、上述したソレノイド４２０Ｓおよび４２１Ｓの動作に基づいて、図１２（ａ）に示される状態から前記対向支持片４２０および４２１が夫々離間する方向に０．５秒間揺動動作して図１２（ｂ）に示される状態となり、１２（ｂ）に示される状態から前記対向支持片４２０および４２１が夫々接近する方向に０．５秒間揺動動作して図１２（ａ）に示される状態となるものであるとともに上記した動作を繰り返すものである。
【００９６】
前記対向支持片４２０および４２１は、図１２（ａ）に示されるように、前記対向支持片４２０および４２１が接近した状態においては、図中点線表示によって示されるように、前記出口部３００Ｌ、３００Ｃおよび３００Ｒより落下してくる遊技球の流下方向を前記対向支持片４２０および４２１によって前記始動入賞口９への入賞が困難となる方向へと誘導する。
【００９７】
また、前記対向支持片４２０および４２１は、図１２（ｂ）に示されるように、前記対向支持片４２０および４２１が離間した状態においては、図中点線表示によって示されるように、前記出口部３００Ｌ、３００Ｃおよび３００Ｒより落下してくる遊技球の流下方向を前記対向支持片４２０および４２１によって前記始動入賞口９の方向へと誘導する。
【００９８】
さらに、前記対向支持片４２０および４２１は、図１２（ｃ）に示されるように、前記対向支持片４２０および４２１が揺動動作している途中の状態においては、図中点線表示によって示されるように、前記出口部３００Ｃより落下してくる遊技球のうち前記始動入賞口９の方向から逸れた遊技球の流下方向を前記対向支持片４２０および４２１によって前記始動入賞口９の方向へと誘導するとともに、前記出口部３００Ｌおよび３００Ｒより落下してくる遊技球に対しては、該遊技球の流下方向を変化させない。
【００９９】
以下、上記構成および作用の本第４実施例のパチンコ遊技機の効果について説明する。
【０１００】
上記作用を奏する本第４実施例のパチンコ遊技機は、前記対向支持片４２０および４２１が常に遊技領域１内に存在するので、遊技球に影響を与えて遊技者に利益を与える事を可能にするとともに、常に遊技領域１内の前記トリガー手段としての前記始動入賞口９の上流に配置された対向支持片４２０および４２１の両方が動くことにより、対向する前記対向支持片４２０および４２１の対向形態を変化させたので、変化した前記対向支持片４２０および４２１の対向形態に基づいて遊技球の流下方向が変化することにより、興趣を持って遊技することが出来るとともに、発生する利益を遊技者が享受し損ねる可能性が低いという効果を奏する。
【０１０１】
本第４実施例のパチンコ遊技機は、前記揺動機構４０１によって対向する前記対向支持片４２０および４２１が一端を中心にして他端が接近する方向と離間する方向に揺動動作させるので、遊技者にとって有利となる他端が離間した状態において前記対向支持片４２０および４２１の対向形態に基づいて遊技球の流下方向を前記始動入賞口９の方向へ変化させることにより、遊技者が前記対向支持片４２０および４２１の他端が離間した状態において遊技球が前記始動入賞口９の方向へと誘導される事に期待感を持って遊技することが出来るという効果を奏する。
【０１０２】
本第４実施例のパチンコ遊技機は、対向して揺動動作する前記対向支持片４２０および４２１が下端を支点として揺動動作するので、該対向支持片４２０および４２１の全体に亘り遊技球の流下方向を変化させることが出来るという効果を奏する。
【実施例５】
【０１０３】
本第５実施例のパチンコ遊技機は前記第１発明ないし第３発明、第８発明および第１０発明の実施例であり、図１に示されるように、遊技球が自重により遊技盤に沿って流下する遊技領域１と、遊技球が進入することによってその後の遊技状況に影響を与えるトリガー手段としての始動入賞口９を備えたパチンコ遊技機において、常に遊技領域内の前記始動入賞口９の上流に配置された対向支持片５２０および５２１の両方が可動支持片によって構成され、該可動支持片が前後方向および左右方向に動くことにより、対向する前記対向支持片５２０および５２１の対向間隔および対向形態を変化させることによって、通過する遊技球の流下方向に影響を与えるように構成されているものである。
【０１０４】
第５実施例のパチンコ遊技機は、遊技球を発射させるための操作ハンドル１０１と、発射された遊技球が自重により遊技盤５００に沿って流下する遊技領域１と、遊技球が入賞することにより大当り抽選および表示演出抽選等を行なうトリガー手段としての始動入賞口９と、前記始動入賞口９における検知出力によって特別図柄抽選を行ない該特別図柄抽選の抽選結果に基づいて作動する大入賞口７と、前記遊技領域１に配設された導入口Ｅへ遊技球が進入することにより該遊技球が到達するステージ２００Ｓと、前記ステージ２００Ｓの転動面の形状に基づいて遊技球が転動した後前記遊技領域１における始動口上流部２に遊技球を排出する出口部２００Ｌ、２００Ｃおよび２００Ｒと、前記遊技領域１に配設され遊技球の通過を検知するゲートＧと、前記ゲートＧにおける検知出力によって普通図柄抽選を行ない該普通図柄抽選の抽選結果に基づいて作動する電動チューリップ８を備えている。
【０１０５】
本第５実施例のパチンコ遊技機は、前記ステージ２００Ｓの下側の遊技領域１の前記始動口上流部２に前記対向支持片５２０および５２１を収納および移動を可能にする上稜線５００Ｕおよび下稜線５００Ｌで区画される略逆ハの字状の凹部５００Ｇを形成して、対向する対向支持片５２０および５２１を配設して常に存在するように構成されているとともに、前記進退機構５０１の駆動力によって、該対向支持片５２０および５２１を前記遊技盤５００に対して前後方向に進退動作させるとともに、前記対向間隔変化機構５０２によって、該対向支持片５２０および５２１の水平横方向における対向間隔を変化させるように構成されている。
【０１０６】
結果として前記対向支持片５２０および５２１の対向間隔および対向形態が変化することにより、前記対向支持片５２０および５２１付近を通過する遊技球の流下方向に影響を与え、下流に配置された前記始動入賞口９への遊技球の入賞確率を変化させた点に特徴があり、以下上述した第１実施例ないし第４実施例との相違点を中心に説明する。
【０１０７】
前記凹部５００Ｇは、図１３に示されるように、仮に遊技球が進入した場合にも、該遊技球を前記遊技盤５００に排出するための傾斜部を備えている。
【０１０８】
前記ステージ２００Ｓは、上述した第２実施例と同様の構成のため同符号を付し説明を省略する。
【０１０９】
前記進退機構５０１は、図１３（ａ）、（ｂ）に示されるように、ソレノイド５２０Ｓによって構成され、該ソレノイド５２０Ｓ内に一端が挿入され、ソレノイド５２０Ｓの駆動力によって後述するコイルスプリング５３４の付勢力に抗して図中左方向に吸引される円柱状のロッド部材５３０と、該ロッド部材５３０と一体的に形成された直方体状の押圧部材５３１と、一方端が前記対向支持片５２０および５２１の屈曲部Ｉにおいて接合され前記対向支持片５２０および５２１と一体的に動く左右一対のガイド部材５３２および５３３と、一端が前記ロッド部材５３０に固着されるとともに他端が図中左方の壁面に形成された凹部に挿入固着され、前記ロッド部材５３０を図中右方へ付勢するコイルスプリング５３４によって構成される。
【０１１０】
前記対向間隔変化機構５０２は、図１４（ａ）に示されるように、ソレノイド５２０Ｓの駆動力によってコイルスプリング５３４の付勢力に抗して図中上方向に吸引される円柱状のロッド部材５３０と略Ｔ字状に一体的に形成された直方体状の押圧部材５３１に形成されたスライド溝５６１に沿って図中左右方向に移動可能なガイド部材５３２および５３３の一方端が、前記対向支持片５２０および５２１の屈曲部Ｉにおいて接合されて前記対向支持片５２０および５２１と一体的に動くものであり、スリット部材５３Ｓに形成された前記ガイド部材５３２の前後方向の動きを図中斜め左下がり方向に規制して横方向の動きを加えるためのスリット５３５と、スリット部材５３Ｓに形成された前記ガイド部材５３３の動きを図中斜め右下がり方向に規制して横方向の動きを加えるためのスリット５３７と、前記ガイド部材５３２の上面に突設され、該ガイド部材５３２が前記スリット５３５に沿って移動するためのピン部材５３９と、前記ガイド部材５３３の上面に突設され、該ガイド部材５３２が前記スリット５３７に沿って移動するためのピン部材５４１によって構成される。
【０１１１】
すなわち、本第５実施例のパチンコ遊技機は、１つの前記ソレノイド５２０Ｓの駆動力による前記対向支持片５２０および５２１の前後方向の動きに加え、前後方向の動きに応じた前記対向支持片５２０および５２１の水平左右方向の動きを実施することにより２つの前記対向支持片５２０および５２１の対向間隔および対向形態を変化させる機構を採用しているものである。
【０１１２】
前記対向支持片５２０は、図１３および図１４に示されるように、前記遊技盤５００の前後方向に対して高さが部分的に異なるような硬質プラスチック製の遊技部材５５０および５５１によって構成され、該遊技部材５５０および５５１の下方部分は図１３ないし図１５に示されるように、常に前記遊技盤５００に対して突出して存在して図中時計方向にα´傾斜した遊技部材５５０と、前記対向支持片５２０の突出時のみ前記遊技盤５００に対して突出して存在して図中反時計方向にβ´傾斜した遊技部材５５１によって構成され、前記遊技領域１に配設された前記始動入賞口９の略上方の前記始動口上流部２に前記対向支持片５２１と対を成して、略逆ハの字状に配設される。
【０１１３】
前記対向支持片５２１は、図１３および図１４に示されるように、前記遊技盤５００の前後方向に対して高さが部分的に異なるような硬質プラスチック製の遊技部材５５２および５５３によって構成され、該遊技部材５５２および５５３の下方部分は図１３ないし図１５に示されるように、常に前記遊技盤５００に対して突出して存在して図中時計方向にα´´傾斜した遊技部材５５２と、前記対向支持片５２１の突出時のみ前記遊技盤５００に対して突出して存在して図中反時計方向にβ´´傾斜した遊技部材５５３によって構成され、前記遊技領域１に配設された前記始動入賞口９の略上方の前記始動口上流部２に前記対向支持片５２０と対を成して、略逆ハの字状に配設される。
【０１１４】
本第５実施例のパチンコ遊技機の制御システムは、上述した第１実施例ないし第４実施例のパチンコ遊技機の制御システムと比較して前記役物動作制御基板８４から前記ソレノイド５２０Ｓに対して作動指令を出力する点で異なるが、その他の構成については同様であるため説明を省略する。
【０１１５】
上記構成より成る本第５実施例のパチンコ遊技機の作用について前記対向支持片５２０および５２１の動作制御、前記対向支持片５２０および５２１付近を通過する遊技球の流下方向への影響を中心として説明する。
【０１１６】
上述したように、前記始動口上流部２に配設された前記対向支持片５２０および５２１は、図１３ないし図１５に示されるように、前記ソレノイド５２０Ｓが後述する一定周期で通電状態と未通電状態とを繰り返すことにより、前記対向支持片５２０および５２１が前記遊技盤５００に対して進退動作するとともに左右方向に往復動作するものである。
【０１１７】
なお、本第５実施例のパチンコ遊技機においては、前記ソレノイド５２０Ｓは０．８秒毎に通電状態と未通電状態とが切り換えられるように構成されており、図１３（ａ）および図１４（ａ）に示される通電状態から未通電状態に移行すると、０．４秒間かけて図１３（ｂ）および図１４（ｂ）に示される位置まで移動するとともに、その後０．４秒間は静止状態を維持するとともに、図１３（ｂ）および図１４（ｂ）に示される未通電状態から通電状態に移行すると、０．４秒間かけて図１３（ａ）および図１４（ａ）に示される位置まで移動して、その後０．４秒間は静止状態を維持するものである。
【０１１８】
すなわち、前記対向支持片５２０および５２１の対向形態は、上述したソレノイド５２０Ｓの吸引動作に基づいて、図１５（ａ）に示される状態を０．４秒間維持した後、前記ソレノイド５２０Ｓの電流供給が解除されると前記コイルスプリング５３４の付勢力により前記対向支持片５２０および５２１が前記遊技盤５００に対して徐々に突出しながら対向間隔が拡がる方向に０．４秒間動作して図１５（ｂ）に示される状態となり、図１５（ｂ）に示される状態を０．４秒間維持した後、前記対向支持片５２０および５２１が前記遊技盤５００に対して徐々に後退しながら対向間隔が縮まる方向に０．４秒間動作して図１５（ａ）に示される状態となるものであるとともに上記した動作を繰り返すものである。
【０１１９】
前記対向支持片５２０および５２１は、図１５（ａ）に示されるように、前記対向支持片５２０および５２１の距離が短い状態においては、前記遊技部材５５０および５５２のみが前記遊技盤５００に対して突出しており前記遊技部材５５１および５５３は前記遊技盤５００に対して後退しているため、図中点線表示によって示されるように、前記出口部２００Ｃより落下してくる遊技球のうち前記始動入賞口９の方向から逸れた遊技球の流下方向を前記遊技部材５５０および５５２によって前記始動入賞口９の方向へと誘導するとともに、前記出口部２００Ｌおよび２００Ｒより落下してくる遊技球に対しては、該遊技球の流下方向を変化させない。
【０１２０】
前記対向支持片５２０および５２１は、図１５（ｂ）に示されるように、前記対向支持片５２０および５２１の距離が拡がった状態においては、前記遊技部材５５０ないし５５３の全てが前記遊技盤５００に対して突出しているため、図中点線表示によって示されるように、前記出口部２００Ｌおよび２００Ｒより落下してくる遊技球の流下方向を前記遊技部材５５１および５５３によって前記始動入賞口９の方向へと誘導するとともに、前記出口部２００Ｃより落下してくる遊技球に対しては、該遊技球の流下方向を変化させないものである。
【０１２１】
以下、上記構成および作用の本第５実施例のパチンコ遊技機の効果について説明する。
【０１２２】
上記作用を奏する本第５実施例のパチンコ遊技機は、前記対向支持片５２０および５２１が常に遊技領域１内に存在するので、遊技球に影響を与えて遊技者に利益を与える事を可能にするとともに、常に遊技領域１内の前記トリガー手段としての前記始動入賞口９の上流に配置された対向支持片５２０および５２１の両方が動くことにより、対向する前記対向支持片５２０および５２１の対向形態を変化させたので、変化した前記対向支持片５２０および５２１の対向形態に基づいて遊技球の流下方向が変化することにより、興趣を持って遊技することが出来るとともに、発生する利益を遊技者が享受し損ねる可能性が低いという効果を奏する。
【０１２３】
本第５実施例のパチンコ遊技機は、前記対向間隔変化機構５０２によって対向する前記対向支持片５２０および５２１の対向間隔を変化させたので、前記対向支持片５２０および５２１の対向間隔が拡がった状態においては、前記出口部２００Ｌおよび２００Ｒから落下した遊技球を、前記対向支持片５２０および５２１の対向間隔が拡がると同時に前記遊技盤５００の前面に突出した前記遊技部材５５１および５５３によって前記始動入賞口９の方向へ変化させるとともに、前記対向支持片５２０および５２１の対向間隔が縮まった状態においては、前記出口部２００Ｃから落下した遊技球を、前記対向支持片５２０および５２１の対向間隔が縮まった状態においても前記遊技盤５００の前面に突出した前記遊技部材５５０および５５２によって前記始動入賞口９の方向へ変化させるので、遊技者は前記対向支持片５２０および５２１の対向形態に基づいて遊技球の流下方向が前記始動入賞口９の方向へ変化することへの期待感を維持して遊技することが出来るという効果を奏する。
【０１２４】
本第５実施例のパチンコ遊技機は、前記進退機構５０１が対向間隔が変化して対向する前記対向支持片５２０および５２１を遊技盤に対して進退させるので、常に遊技盤５００に対して突出した前記遊技部材５５０および５５２によって遊技球を前記始動入賞口９の方向へと誘導するとともに、前記進退機構５０１によって前記対向支持片５２０および５２１が遊技盤５００の前方へ突出した場合に、前記遊技盤５００に対して突出する前記遊技部材５５１および５５３によって遊技球を前記始動入賞口９の方向へと誘導するため、遊技者は常に前記始動入賞口９への入賞を期待出来るとともに、前記対向支持片５２０および５２１が前記遊技盤５００に対して突出した場合には、前記始動入賞口９への入賞への高い期待感を持って遊技することが出来るという効果を奏する。
【０１２５】
本第５実施例のパチンコ遊技機は、前記進退機構５０１によって遊技盤５００に対して進退する前記対向支持片５２０および５２１の進退方向の高さが部分的に異なるので、前記対向支持片５２０および５２１の突出状態に応じて進退方向の高さが低い前記遊技部材５５１および５５３が遊技盤５００に対して突出して前記出口部２００Ｌおよび２００Ｒから落下した遊技球を前記始動入賞口９の方向へ変化させるため、遊技者は進退方向の高さが低い前記遊技部材５５１および５５３が突出する状態への期待感をもって遊技をすることが出来るという効果を奏する。
【０１２６】
本第５実施例のパチンコ遊技機は、前記進退機構５０１および前記対向間隔変化機構５０２を１つの前記ソレノイド５２０Ｓを駆動源として、前記ソレノイド５２０Ｓによる進退動作に基づき前記対向支持片５２０および５２１の対向間隔および対向形態を変化させるので、パチンコ遊技機の製造に必要となる部品数を減らすことにより、パチンコ遊技機製造コストを下げることが出来るという効果を奏するものである。
【実施例６】
【０１２７】
本第６実施例のパチンコ遊技機は前記第１発明、第２発明、第４発明、第７発明、および第９発明ないし第１１発明の実施例であり、図１に示されるように、遊技球が自重により遊技盤に沿って流下する遊技領域１と、遊技球が進入することによってその後の遊技状況に影響を与えるトリガー手段としての始動入賞口９を備えたパチンコ遊技機において、常に遊技領域内の前記始動入賞口９の上流に配置された対向支持片６２０および６２１の両方が可動支持片によって構成され、進退機構６０１および平行揺動機構６０２の駆動力によって該可動支持片が進退するとともに揺動することにより、対向する前記対向支持片６２０および６２１の姿勢および対向形態を変化させることによって、通過する遊技球の流下方向に影響を与えるように構成されているものである。
【０１２８】
第６実施例のパチンコ遊技機は、遊技球を発射させるための操作ハンドル１０１と、発射された遊技球が自重により遊技盤６００に沿って流下する遊技領域１と、遊技球が入賞することにより大当り抽選および表示演出抽選等を行なうトリガー手段としての始動入賞口９と、前記始動入賞口９における検知出力によって特別図柄抽選を行ない該特別図柄抽選の抽選結果に基づいて作動する大入賞口７と、前記遊技領域１に配設された導入口Ｅへ遊技球が進入することにより該遊技球が到達するステージ３００Ｓと、前記ステージ３００Ｓの転動面の形状に基づいて遊技球が転動した後前記遊技領域１における始動口上流部２に遊技球を排出する出口部３００Ｌ、３００Ｃおよび３００Ｒと、前記遊技領域１に配設され遊技球の通過を検知するゲートＧと、前記ゲートＧにおける検知出力によって普通図柄抽選を行ない該普通図柄抽選の抽選結果に基づいて作動する電動チューリップ８を備えている。
【０１２９】
本第６実施例のパチンコ遊技機は、前記ステージ３００Ｓの下側の遊技領域１の前記始動口上流部２に略Ｘ字状の凹部６０３を形成して、常に存在する対向する対向支持片６２０および６２１を配設して、前記進退機構６０１および前記平行揺動機構６０２の駆動力によって、該対対向支持片６２０および６２１が前記遊技盤６００に対して進退動作するとともに平行状態を保って揺動動作を可能にするように構成されている。
【０１３０】
結果として前記対向支持片６２０および６２１の姿勢および対向形態が変化することにより、前記対向支持片６２０および６２１付近を通過する遊技球の流下方向に影響を与え、前記始動入賞口９への遊技球の入賞確率を変化させた点に特徴があり、以下上述した第１実施例ないし第５実施例との相違点を中心に説明する。
【０１３１】
なお、本第６実施例のパチンコ遊技機の前記遊技盤６００は、前記始動口上流部２において、前記対向支持片６２０および６２１が進退動作および揺動動作を可能にするための略Ｘ字状の凹部６０３が形成されている。
【０１３２】
前記凹部６０３は、図１７に示されるように、仮に遊技球が進入した場合にも、該遊技球を前記遊技盤６００に排出するための傾斜部を下部に備えている。
【０１３３】
前記ステージ３００Ｓは、上述した第３実施例および第４実施例と同様の構成のため同符号を付し説明を省略する。
【０１３４】
前記進退機構６０１は、図１６に示されるように、遊技機内に固着されたソレノイド６４０Ｓおよび６４１Ｓと、該ソレノイド６４０Ｓおよび６４１Ｓの駆動力によって前記遊技盤６００に対して進退動作するロッド部材６１０および６１１によって構成される。
【０１３５】
なお、該ロッド部材６１０および６１１は中間点を境として片側が円柱状部が形成されるとともに、もう一方側が前記円柱状部内に一端が一体的に介挿された正六角柱状部が形成されており、前記ロッド部材６１０および６１１の円柱状部は前記ソレノイド６４０Ｓおよび６４１Ｓに介挿されており、正六角柱状側は後述するクランク６１２および６１３の一端に形成された六角形の穴部内に介挿されるとともに、端部において前記対向支持片６２０および６２１の後面の中間部に接合され、前後方向に進退可能となっているものである。
【０１３６】
前記平行揺動機構６０２は、図１６（ｂ）に示されるように、遊技機内に固着されたソレノイド６３０Ｓおよび６３１Ｓと、該ソレノイド６３０Ｓおよび６３１Ｓの駆動力によって図中上方へ引き上げられるスライダー６１４および６１５と、該スライダー６１４および６１５に一端が係止され前記スライダー６１４および６１５の上下方向の往復動作を回転動作に切り換えるクランク６１２および６１３と、該クランク６１２および６１３の回転動作に連動して回転動作する前記ロッド部材６１０および６１１によって構成され、端部に固着された前記対向支持片６２０および６２１が回転するように構成されている。
【０１３７】
すなわち、本第６実施例のパチンコ遊技機は、前記ロッド部材６１０および６１１が前記ソレノイド６４０Ｓおよび６４１Ｓの駆動力によって前記遊技盤６００に対して前後方向に進退動作するとともに、前記ソレノイド６３０Ｓおよび６３１Ｓの駆動力によって回転動作することによって、結果として前記ロッド部材６１０および６１１と一体となって形成された前記対向支持片６２０および６２１が前記遊技盤６００に対して前後方向に進退動作するとともに、一定の角度範囲内において揺動動作するものである。
【０１３８】
前記対向支持片６２０は、図１６に示されるように、前記対向支持片６２０の略中間部において、前記ソレノイド６４０Ｓによる前記遊技盤６００に対して前後方向の往復動作に基づいて往復動作するとともに、前記ソレノイド６３０Ｓによる図中上下方向の往復動作に基づいて図中回転方向に回転動作するロッド部材６１０と一体形成された硬質プラスチック製の遊技部材によって構成され、図１８に示されるように、前記遊技領域１に配設された前記始動入賞口９の略上方の前記始動口上流部２に前記対向支持片６２１と対を成して配設される。
【０１３９】
前記対向支持片６２１は、図１６に示されるように、前記対向支持片６２１の略中間部において、前記ソレノイド６４１Ｓによる前記遊技盤６００に対して前後方向の往復動作に基づいて往復動作するとともに、前記ソレノイド６３１Ｓによる図中上下方向の往復動作に基づいて図中回転方向に回転動作するロッド部材６１１と一体形成された硬質プラスチック製の遊技部材によって構成され、図１８に示されるように、前記遊技領域１に配設された前記始動入賞口９の略上方の前記始動口上流部２に前記対向支持片６２０と対を成して配設される。
【０１４０】
本第６実施例のパチンコ遊技機の制御システムは、上述した第１実施例ないし第５実施例のパチンコ遊技機の制御システムと比較して前記役物動作制御基板８４から前記ソレノイド６３０Ｓ、６３１Ｓ、６４０Ｓおよび６４１Ｓに対して作動指令を出力する点で異なるが、その他の構成については同様であるため説明を省略する。
【０１４１】
上記構成より成る本第６実施例のパチンコ遊技機の作用について前記対向支持片６２０および６２１の動作制御、前記対向支持片６２０および６２１付近を通過する遊技球の流下方向への影響を中心として説明する。
【０１４２】
上述したように、前記始動口上流部２に配設された前記対向支持片６２０および６２１は、図１６に示されるように、前記ソレノイド６３０Ｓおよび６３１Ｓが通電状態と未通電状態とを一定周期で繰り返すことにより、回転動作をする前記ロッド部材６１０および６１１と一体となって、前記対向支持片６２０および６２１の略中間点の前記ロッド部材６１０および６１１との固着点を支点として揺動動作するものである。
【０１４３】
すなわち、本第６実施例のパチンコ遊技機においては、前記ソレノイド６３０Ｓおよび６３１Ｓは２秒毎に通電状態と未通電状態とが切り換えられるように構成されており、図１６（ａ）に示される未通電状態から通電状態に移行すると、１秒間かけて図１６（ｂ）に示される通電状態におけるソレノイドの停止位置まで移動して、その後１秒間は静止状態を維持するとともに、図１６（ｂ）に示される通電状態から未通電状態に移行すると、１秒間かけて図１６（ａ）に示される未通電状態におけるソレノイドの停止位置まで移動して、その後１秒間は静止状態を維持するものである。
【０１４４】
また、前記ソレノイド６４０Ｓは、前記ソレノイド６３０Ｓおよび６３１Ｓが通電状態となる時に通電状態となり、前記ソレノイド６３０Ｓおよび６３１Ｓが未通電状態となる時に未通電状態となるように制御される。
【０１４５】
すなわち、図１８（ｂ）に示されるように、前記ソレノイド６３０Ｓが通電状態となり、前記対向支持片６２０が図中反時計方向に揺動動作している時には、前記対向支持片６２０は、前記遊技盤６００に対して突出するとともに、図１８（ａ）に示されるように、前記ソレノイド６３０Ｓが未通電状態となり、前記対向支持片６２０が図中時計方向に揺動動作している時には、前記対向支持片６２０は、前記遊技盤６００に対して後退して上側の一部が埋没する
【０１４６】
また、前記ソレノイド６４１Ｓは、前記ソレノイド６３０Ｓおよび６３１Ｓが通電状態となる時に未通電状態となり、前記ソレノイド６３０Ｓおよび６３１Ｓが未通電状態となる時に通電状態となるように制御される。
【０１４７】
すなわち、図１８（ｂ）に示されるように、前記ソレノイド６３１Ｓが通電状態となり、前記対向支持片６２１が図中反時計方向に揺動動作している時には、前記対向支持片６２１は、前記対向支持片６２１は、前記遊技盤６００に対して後退して上側の一部が埋没するとともに、図１８（ａ）に示されるように、前記ソレノイド６３１Ｓが未通電状態となり、前記対向支持片６２１が図中時計方向に揺動動作している時には、前記対向支持片６２１は、前記遊技盤６００に対して突出する。
【０１４８】
前記対向支持片６２０および６２１は、図１８（ａ）に示されるように、前記対向支持片６２０および６２１が図中時計方向に揺動した後の状態においては、図中点線表示によって示されるように、前記出口部３００Ｃおよび３００Ｒより落下してくる遊技球の流下方向を前記対向支持片６２０の突出部分および対向支持片６２１によって前記始動入賞口９の略左上に配設された遊技釘の方向へと誘導するとともに、結果として該遊技球を前記始動入賞口９へと誘導するとともに、前記出口部３００Ｌより落下してくる遊技球の流下方向を前記対向支持片６２０の突出部分によって前記始動入賞口９への入賞が困難となる方向へと誘導する。
【０１４９】
また、前記対向支持片６２０および６２１は、図１８（ｂ）に示されるように、前記対向支持片６２０および６２１が図中反時計方向に揺動した後の状態においては、図中点線表示によって示されるように、前記出口部３００Ｌおよび３００Ｃより落下してくる遊技球の流下方向を前記対向支持片６２０および対向支持片６２１の突出部分によって前記始動入賞口９の略右上に配設された遊技釘の方向へと誘導するとともに、結果として該遊技球を前記始動入賞口９へと誘導するとともに、前記出口部３００Ｒより落下してくる遊技球の流下方向を前記対向支持片６２１の突出部分によって前記始動入賞口９への入賞が困難となる方向へと誘導する。
【０１５０】
さらに、前記対向支持片６２０および６２１は、図１８（ｃ）に示されるように、前記対向支持片６２０および６２１が揺動動作している途中の垂直の状態においては、図中点線表示によって示されるように、前記出口部３００Ｃより落下してくる遊技球の流下方向を前記対向支持片６２０の突出部分および対向支持片６２１の突出部分によって前記始動入賞口９の方向へと誘導するとともに、前記出口部３００Ｌおよび３００Ｒより落下してくる遊技球に対しては、該遊技球の流下方向を変化させない。
【０１５１】
以下、上記構成および作用の本第６実施例のパチンコ遊技機の効果について説明する。
【０１５２】
上記作用を奏する本第６実施例のパチンコ遊技機は、前記対向支持片６２０および６２１が常に遊技領域１内に存在するので、遊技球に影響を与えて遊技者に利益を与える事を可能にするとともに、常に遊技領域１内の前記トリガー手段としての前記始動入賞口９の上流に配置された対向支持片６２０および６２１の両方が動くことにより、対向する前記対向支持片６２０および６２１の対向形態を変化させたので、変化した前記対向支持片６２０および６２１の対向形態に基づいて遊技球の流下方向が変化することにより、興趣を持って遊技することが出来るとともに、発生する利益を遊技者が享受し損ねる可能性が低いという効果を奏する。
【０１５３】
本第６実施例のパチンコ遊技機は、前記平行揺動機構６０１によって対向する前記対向支持片６２０および６２１の対向形態が平行である状態を保って揺動動作させるので、揺動角度が変化した前記対向支持片６２０および６２１の対向形態に基づいて前記出口部３００Ｌ、３００Ｃおよび３００Ｒから落下する遊技球の流下方向を変化させるとともに、対向した前記対向支持片６２０および６２１の間へ進入した遊技球を前記始動入賞口９へ入賞しやすい位置に誘導するため、遊技者が前記対向支持片６２０および６２１の対向形態に基づく遊技球の流下方向の変化に期待感を持って遊技することが出来るという効果を奏する。
【０１５４】
本第６実施例のパチンコ遊技機は、対向して揺動動作する前記対向支持片６２０および６２１が中間部を支点として揺動動作するので、該対向支持片６２０および６２１の揺動角度に基づいて遊技球の流下方向を多種多様に変化させることが出来るという効果を奏する。
【０１５５】
本第６実施例のパチンコ遊技機は、前記進退機構６０１が揺動動作して対向する前記対向支持片６２０および６２１を遊技盤に対して進退させるので、前記対向支持片６２０および６２１が時計方向に揺動した場合には前記対向支持片６２０が遊技盤６００に対して後退して前記対向支持片６２０の上端部が前記遊技盤６００に対して埋没するとともに、前記対向支持片６２０および６２１が時計反方向に揺動した場合には前記対向支持片６２１が遊技盤６００に対して後退して前記対向支持片６２１の上端部が前記遊技盤６００に対して埋没するので、前記前記対向支持片６２０および６２１の揺動状態に応じて前記出口部３００Ｌまたは３００Ｒから落下した遊技盤を前記始動入賞口９の方向へと誘導するとともに、前記対向支持片６２０および６２１の揺動状態に関わらず前記出口部３００Ｃより落下した遊技球を前記始動入賞口９の方向へと誘導するため、遊技者は前記始動入賞口９への高い入賞確率を期待して遊技をすることが出来るという効果を奏する。
【０１５６】
本第６実施例のパチンコ遊技機は、前記進退機構６０１によって遊技盤６００に対して進退する前記対向支持片６２０および６２１の進退方向の高さが部分的に異なるので、前記対向支持片６２０および６２１が左方向または右方向に揺動動作した場合において、進退方向の高さが低い前記対向支持片６２０および６２１の上端部が埋没しているため前記出口部３００Ｃより落下した遊技球に変化を与えないとともに、前記対向支持片６２０または６２１によって前記出口部３００Ｌおよび３００Ｃまたは３００Ｃおよび３００Ｒから落下した遊技球を前記始動入賞口９の方向へ変化させるため、遊技者は進退方向の高さが低い前記対向支持片６２０および６２１の上端部が埋没して、落下してくる遊技球を広い範囲において前記始動入賞口９へと誘導する状態への期待感をもって遊技をすることが出来るという効果を奏する。
【０１５７】
本第６実施例のパチンコ遊技機は、前記進退機構６０１によって遊技盤に対して進退する左右の前記対向支持片６２０および６２１の突出量が異なる様にして、左右の対向支持片６２０および６２１が左右に傾斜した状態においても、出口部３００Ｃから落下してくる遊技球を前記始動入賞口９へ誘導することを可能にして、入賞確率を上げることが出来るという効果を奏する。
【０１５８】
上述の実施例は、説明のために例示したもので、本発明としてはそれらに限定されるものではなく、特許請求の範囲、発明の詳細な説明および図面の記載から当業者が認識することができる本発明の技術的思想に反しない限り、変更および付加が可能である。
【０１５９】
第１実施例のパチンコ遊技機においては、図３中右側の一方の前記対向支持片２１を上端を支点として揺動動作させることにより、前記対向支持片２０および２１の対向形態を変化させることによって、前記ゲートＧへの遊技球の通過確率および前記導入口Ｅへの遊技球の進入確率を変化させたが、本発明はこれに限定されるものではなく、前記対向支持片２１を進退させる、または前記対向支持片２０および２１の対向間隔を変化させることにより、前記ゲートＧへの遊技球の通過確率および前記導入口Ｅへの遊技球の進入確率を変化させる形態を採用することが出来る。
【０１６０】
第１実施例のパチンコ遊技機においては、前記対向支持片２１の揺動動作範囲を図３（ａ）に示される角度範囲αで揺動動作する形態を説明したが、本発明はこれに限定されるものではなく図３（ｂ）または図３（ｃ）に示されるような角度範囲βまたはγで揺動動作する形態を採用出来るとともに、図３（ｄ）に示されるように前記対向支持片２１が回転動作する形態を採用出来るものであり、可動支持片がどのような動作態様で動くかについては本発明の効果を有効的に実現するにあたって適宜設定出来るものである。
【０１６１】
上記した内容に基づいて、第１実施例の変形例のパチンコ遊技機として、確変遊技状態および時短遊技状態等においては前記対向支持片２１が図３（ｂ）に示される角度範囲βで揺動動作するとともに、通常遊技状態および大当たり遊技状態等においては図３（ｃ）に示される角度範囲γで揺動動作する形態を採用することが出来る。
上述の第１実施例の変形例のパチンコ遊技機は、通常遊技状態および大当たり遊技状態等においては、前記対向支持片２１の揺動動作によって前記導入口Ｅへの遊技球の進入確率を高めるため、結果として前記始動入賞口９への遊技球の入賞確率が高まるので、始動入賞口への遊技球の入賞の期待感を増大させることが出来るという効果を奏する。
また、上述の第１実施例の変形例のパチンコ遊技機は、確変遊技状態および時短遊技状態等においては、前記対向支持片２１の揺動動作によって前記ゲートＧへの遊技球の進入確率を高めるため、結果として前記電動チューリップ８の開放契機となる普通図柄抽選を数多く行ない、前記電動チューリップ８の開放頻度が高まるので、従来のパチンコ遊技機の確変遊技状態および時短遊技状態等において、遊技くぎの影響等によってゲートへの遊技球の進入確率が低いため、結果として電動チューリップの開放頻度が下がり、確変遊技状態および時短遊技状態等であるのにもかかわらず遊技球が減少してしまい遊技者が興趣を逸してしまうという問題を解消することが出来るという効果を奏する。
【０１６２】
前記第１実施例のパチンコ遊技機においては、前記対向支持片２０および２１のうち、片方の前記対向支持片２１のみを可動して前記ゲートＧの上流に配設した形態を採用したが、本発明はこれに限定されるものではなく、片方の対向支持片のみが可動する２つの対向支持片を前記始動入賞口９の上流に配設する形態を採用することが出来る。
【０１６３】
本第２実施例のパチンコ遊技機においては、前記対向支持片２２０および２２１をシリコンゴム製の遊技部材によって構成したが、本発明はこれに限定されるものではなく、前記対向支持片２２０および２２１を硬質プラスチック製の遊技部材によって構成することにより、衝突する遊技球の速度に影響されることなく、自由落下方向に対して一定角度傾斜された前記対向支持片２２０および２２１の傾斜の影響によって該遊技球を前記始動入賞口９へと誘導する形態を採用することが出来る。
【０１６４】
前記第２実施例、第４実施例および第５実施例のパチンコ遊技機においては、前記対向支持片２２０、２２１、４２０、４２１、５２０および５２１によって遊技球の流下方向を前記始動入賞口９の方向へと誘導する構成としたが、本発明はこれに限定されるものではなく遊技球の流下方向を間接的に前記始動入賞口９へと誘導するために前記始動入賞口９付近に配設された遊技釘または前記始動入賞口９付近に配設された遊技部材等の方向へと誘導する形態を採用することが出来る。
【０１６５】
前記第３実施例のパチンコ遊技機においては、前記対向支持片３２０および３２１の略中間点を揺動動作の支点として平行状態を保って揺動動作する構成としたが、本発明はこれに限定されるものではなく前記対向支持片３２０および３２１の一方端を支点として平行状態を保って揺動動作する形態を採用することが出来る。
【０１６６】
前記第３実施例および第６実施例のパチンコ遊技機においては、前記対向支持片３２０、３２１、６２０および６２１によって遊技球の流下方向を前記始動入賞口９の略左上または略右上に配設された遊技釘の方向へと誘導する構成としたが、本発明はこれに限定されるものではなく遊技球の流下方向を直接的に前記始動入賞口９の方向へと誘導する形態を採用することが出来るとともに、間接的に前記始動入賞口９へと誘導するために前記始動入賞口９付近に配設された上述した位置以外の遊技釘または前記始動入賞口９付近に配設された遊技部材等の方向へと誘導する形態を採用することが出来る。
【０１６７】
前記第４実施例のパチンコ遊技機においては、前記対向支持片４２０および４２１の一端である下端を支点として上端が接近する方向と離間する方向に揺動動作する構成としたが、本発明はこれに限定されるものではなく一端である上端を支点として下端が接近する方向と離間する方向に揺動動作する形態を採用することが出来る。
【０１６８】
前記第５実施例のパチンコ遊技機においては、図１３に示されるように、前記対向支持片５２０および５２１が前記屈曲部Ｉにおいて進退方向の高さが低い部分と高い部分とに分けられる形態を採用したが、本発明はこれに限定されるものではなく、前記第６実施例のパチンコ遊技機において採用した前記対向支持片６２０および６２１と同様に、進退方向の高さが徐々に変化する対向支持片を採用することが出来る。
【０１６９】
前記第６実施例のパチンコ遊技機においては、図１７に示されるように、前記対向支持片６２０および６２１が進退方向の高さが徐徐に変化する形態を採用したが、本発明はこれに限定されるものではなく、前記第５実施例のパチンコ遊技機において採用した前記対向支持片５２０および５２１と同様に、特定の箇所において進退方向の高さが低い部分と高い部分とに分けられる形態を採用することが出来る。
【０１７０】
上述した第１実施例ないし第６実施例においては、前記対向支持片を前記トリガー手段の上流部すなわち前記始動入賞口９または前記ゲートＧの上流部に配設した形態を説明したが、本発明はこれに限定されるものでなく、図１９および図２０に示されるように、ステージ上に遊技球が進入する入口部７０１を設けるとともに、始動入賞口９の略上方に該入口部７０１へ進入した遊技球を再び遊技領域に戻す出口部７０２を有したパチンコ遊技機において、前記対向支持片７０３および７０４を該出口部７０２の下流に配設する形態を採用することが出来る。
【０１７１】
前記第１実施例ないし第６実施例のパチンコ遊技機においては、直線状または略逆ハの字状の形状の対向支持片を採用したが、本発明はこれに限定されるものではなく、本発明の効果を有効に実現するにあたり曲線状または略くの字状の形状の対向支持片をはじめその他の形状についても適宜採用することが出来る。
【０１７２】
前記第１実施例ないし第６実施例のパチンコ遊技機においては、対向支持片の材質を硬質プラスチックまたは反発弾性を有するシリコンゴムを採用したが、本発明はこれに限定されるものではなく、本発明の効果を有効に実現するにあたり金属類または透光性を有するクリアプレートの材質をはじめその他の材質についても適宜採用することが出来る。
【０１７３】
前記第２実施例ないし第６実施例のパチンコ遊技機においては、前記対向支持片を前記始動入賞口９の上流に配設した形態を採用したが、本発明はこれに限定されるものではなく、前記対向支持片を前記ゲートＧの上流に配設する形態を採用することが出来る。
【産業上の利用可能性】
【０１７４】
発射された遊技球が遊技盤に沿って流下する遊技領域と、遊技球が進入することによってその後の遊技状況に影響を与えるトリガー手段を少なくとも１つ備えた遊技機において、常に遊技領域内の前記トリガー手段の上流に配置された対向支持片の少なくとも一方が可動支持片によって構成され、該可動支持片が動くことにより、対向する前記対向支持片の対向形態を変化させることによって、通過する遊技球の流下方向に影響を与えるように構成されているので、前記対向支持片が常に遊技領域内に存在するので、遊技球に影響を与えて遊技者に利益を与える事を可能にするとともに、変化した前記対向支持片の対向形態に基づいて遊技球の流下方向が変化することにより、興趣を持って遊技することが出来るとともに、発生する利益を遊技者が享受し損ねる可能性が低いという用途に適用できる。
【図面の簡単な説明】
【０１７５】
【図１】本発明の第１実施例パチンコ遊技機を示す正面図である。
【図２】本第１実施例ないし第６実施例のパチンコ遊技機の電動チューリップを示す展開斜視図である。
【図３】本第１実施例におけるパチンコ遊技機の対向支持片の揺動を説明するための要部拡大正面図である。
【図４】本第１実施例のパチンコ遊技機における対向支持片の動作を制御するための制御ブロック図である。
【図５】本発明の第２実施例および第５実施例のパチンコ遊技機のステージ、導入口および出口部を示す斜視図である。
【図６】本第２実施例のパチンコ遊技機の対向支持片の動きと、該対向支持片に衝突した遊技球の軌跡の一例を説明するための要部拡大正面図である。
【図７】本第２実施例のパチンコ遊技機の対向支持片を駆動制御するソレノイドと対向支持片を示す展開斜視図である。
【図８】本発明の第３実施例、第４実施例および第６実施例のパチンコ遊技機のステージ、導入口および出口部を示す部分斜視図である。
【図９】本第３実施例のパチンコ遊技機の対向支持片を駆動制御するソレノイドと対向支持片を示す展開斜視図である。
【図１０】本第３実施例のパチンコ遊技機の対向支持片の揺動と、該対向支持片に衝突した遊技球の軌跡の一例を説明するための要部拡大正面図である。
【図１１】本発明の第４実施例のパチンコ遊技機の対向支持片を駆動制御するソレノイドと対向支持片を示す展開斜視図である。
【図１２】本第４実施例のパチンコ遊技機の対向支持片の揺動と、該対向支持片に衝突した遊技球の軌跡の一例を説明するための正面図である。
【図１３】本発明の第５実施例のパチンコ遊技機の対向支持片を駆動制御する進退機構および対向間隔変化機構の要部を示す部分拡大側面図である。
【図１４】本第５実施例のパチンコ遊技機の対向支持片を駆動制御する進退機構および対向間隔変化機構の要部を示す部分拡大上面図である。
【図１５】本第５実施例のパチンコ遊技機の対向支持片の横方向の動きと、該対向支持片に衝突した遊技球の軌跡の一例を説明するための部分拡大正面図である。
【図１６】本発明の第６実施例のパチンコ遊技機の対向支持片を駆動制御するソレノイドと対向支持片を示す展開斜視図である。
【図１７】本第６実施例のパチンコ遊技機の対向支持片の進退動作を説明するための部分拡大側面図である。
【図１８】本第６実施例のパチンコ遊技機の対向支持片の揺動と、該対向支持片に衝突した遊技球の軌跡の一例を説明するための部分拡大正面図である。
【図１９】本第１実施例ないし第６実施例のパチンコ遊技機の変形例の対向支持片の配設位置および対向支持片の動作を説明するための正面図である。
【図２０】本第１実施例ないし第６実施例のパチンコ遊技機の変形例の対向支持片の配設位置および対向支持片の動作を説明するための正面図である。
【図２１】第１の従来のパチンコ遊技機における、開閉弁の突出状態を説明するための部分拡大斜視図である。
【図２２】第２の従来のパチンコ遊技機における、湾曲案内片の収納状態を説明するための部分拡大斜視図である。
【図２３】第３の従来のパチンコ遊技機における、誘導片の突出状態を説明するための部分拡大斜視図である。
【符号の説明】
【０１７６】
１  遊技領域
２  始動口上流部
７  大入賞口
８  電動チューリップ
８Ｓ、２２０Ｓ、２２１Ｓ、３２０Ｓ、３２１Ｓ、４２０Ｓ、４２１Ｓ、５２０Ｓ、６３０Ｓ、６３１Ｓ、６４０Ｓ、６４１Ｓ  ソレノイド
９  始動入賞口
２０、２１、２２０、２２１、３２０、３２１、４２０、４２１、５２０、５２１、６２０、６２１、７０３、７０４  対向支持片
５５  誘導片
５６  湾曲案内弁
５７  被入賞体
５８  開閉弁
８０  メイン制御基板
８１  メインＣＰＵ
８２  メインＲＯＭ
８３  メインＲＡＭ
８４  役物動作制御基板
８５  払出制御基板
１００、５００、６００  遊技盤
１０１  操作ハンドル
２００Ｃ、２００Ｌ、２００Ｒ、３００Ｃ、３００Ｌ、３００Ｒ、Ｃ、Ｌ、Ｒ出口部
２００Ｓ、３００Ｓ、
Ｓ  ステージ
２０１  対向間隔変化機構
２０２、２０３、５３５、５３７  スリット
２２３、５３０、６１０、６１１  ロッド部材
３０１  平行揺動機構
３０２、３０３  軸部材
４０１、６０２  揺動機構
４０２、４０３  軸部材
５０１、６０１  進退機構
５０２  対向間隔変化機構
５０３、５０４、６０３  凹部
５３Ｓ  スリット部材
５３１  押圧部材
５３２、５３３  ガイド部材
５３４  コイルスプリング
５３９、５４１  ピン部材
５５０、５５１、５５２、５５３  遊技部材
５６１  スライド部材
６１２、６１３  クランク
６１４、６１５  スライダー
７０１  入口部
７０２  出口部
Ｂ  ベース板
Ｅ  導入口
Ｇ  ゲート
Ｉ  屈曲部
Ｍ  モータ
Ｓ  収納空間
Ｔ  上端部
【図１】
2010179058.tif 000003
【図２】
2010179058.tif 000004
【図３】
2010179058.tif 000005
【図４】
2010179058.tif 000006
【図５】
2010179058.tif 000007
【図６】
2010179058.tif 000008
【図７】
2010179058.tif 000009
【図８】
2010179058.tif 000010
【図９】
2010179058.tif 000011
【図１０】
2010179058.tif 000012
【図１１】
2010179058.tif 000013
【図１２】
2010179058.tif 000014
【図１３】
2010179058.tif 000015
【図１４】
2010179058.tif 000016
【図１５】
2010179058.tif 000017
【図１６】
2010179058.tif 000018
【図１７】
2010179058.tif 000019
【図１８】
2010179058.tif 000020
【図１９】
2010179058.tif 000021
【図２０】
2010179058.tif 000022
【図２１】
2010179058.tif 000023
【図２２】
2010179058.tif 000024
【図２３】
2010179058.tif 000025